(57)【要約】【課題】本発明は、エスカレータの壁からチェーンまでの距離に関係なくチェーンの張力を測定できるチェーンテンション測定装置を提供する。【解決手段】スプロケット間に掛けられたチェーン１に押し当てて、チェーン１の張力を測定するチェーンテンション測定装置において、一方向に沿って押圧力目盛２ａを有する測定装置本体２と、測定装置本体２に前記一方向に垂直な他方向に延設され、前記他方向に沿って位置目盛３ａを有する目盛体３と、一端部が測定装置本体２に固定され、他端部が押圧力目盛２ａ上を摺動し、中間部が反測定装置本体２側に向かって凸形状の板バネ４とを備え、チェーン１に板バネ４を押し当てて、板バネ４の前記他端部が押圧力目盛２ａ上の基準値まで移動したときに目盛体３を用いて測定した壁５のマーク６の移動距離からチェーン１の変形量を測定して、チェーン１の張力を測定する。【選択図】図１
2008032425.tif 000002
【特許請求の範囲】
【請求項１】
スプロケット間に掛けられたチェーンに押し当てて、前記チェーンの張力を測定するチェーンテンション測定装置において、
一方向に沿って押圧力測定用目盛を有する測定装置本体と、
前記測定装置本体に前記一方向に対して垂直な他方向に延設され、前記他方向に沿って位置測定用目盛を有する目盛体と、
一端部が前記測定装置本体に固定され、他端部が前記押圧力測定用目盛上を摺動し、中間部が反測定装置本体側に向かって凸形状の板バネとを備え、
前記目盛体を用いて前記チェーン近傍の壁に設けられた基準点の前記他方向の位置を測定し、
前記チェーンに対して前記板バネの前記中間部を押し当てて、前記チェーンからの力の反作用により、前記板バネが撓み変形し、前記板バネの前記他端部が前記押圧力測定用目盛上の基準値まで移動したときに、前記目盛体に対する前記基準点の前記他方向への移動距離を測定することにより前記チェーンの変形量を測定して、前記チェーンの張力を測定することを特徴とするチェーンテンション測定装置。
【請求項２】
スプロケット間に掛けられたチェーンの中間部に押し当てて、前記チェーンの張力を測定するチェーンテンション測定装置において、
一方向に沿って押圧力測定用目盛を有する測定装置本体と、
一端部が前記測定装置本体に固定され、他端部が前記押圧力測定用目盛上を摺動し、中間部が反測定装置本体側に向かって凸形状の板バネと、
前記板バネの前記中間部に前記一方向に対して垂直な他方向に延設され、前記他方向に沿って位置測定用目盛を有する目盛体とを備え、
前記目盛体を用いて前記チェーン近傍の壁に設けられた基準点の前記他方向の位置を測定し、
前記チェーンに対して前記板バネの前記中間部を押し当てて、前記チェーンからの力の反作用により、前記板バネが撓み変形し、前記板バネの前記他端部が前記押圧力測定用目盛上の基準値まで移動したときに、前記目盛体に対する前記基準点の前記他方向への移動距離を測定することにより前記チェーンの変形量を測定して、前記チェーンの張力を測定することを特徴とするチェーンテンション測定装置。
【発明の詳細な説明】
【技術分野】
【０００１】
この発明は、チェーンに押し当てて変形させ、その加えた力の大きさとチェーンの変形量とを測定することで、チェーンの張力を算出することができるチェーンテンション測定装置に関する。
【背景技術】
【０００２】
従来のチェーンテンション測定装置として、テンションゲージ本体と、このテンションゲージ本体から延設された押し引き操作体と、この押し引き操作体に加えられる押し操作力および引き操作力を表示する操作力表示部と、前記押し引き操作体に設けられ、押し引き方向に沿って目盛を有する目盛体と、エスカレータの壁に設けられ、チェーンを一方向に移動させた際そのチェーンに押圧されて移動することでチェーンの移動距離を前記目盛体に指示する指示具とを備えているものが知られている（例えば、特許文献１参照）。
【０００３】
【特許文献１】実開２０００−１５５０６０号公報
【発明の開示】
【発明が解決しようとする課題】
【０００４】
しかしながら、このものの場合、指示具の一端部をエスカレータの壁に取付け、他端部をチェーンに当接させるので、壁とチェーンとの距離が異なる種類のエスカレータに対しては、それぞれの距離に合わせた指示具を用意しなければならないという問題点があった。
【０００５】
この発明は、上述のような問題点を解決することを課題とするものであって、その目的は、エスカレータの壁からチェーンまでの距離に関係なく、チェーンの張力を測定できるチェーンテンション測定装置を提供するものである。
【課題を解決するための手段】
【０００６】
この発明に係るチェーンテンション測定装置は、スプロケット間に掛けられたチェーンに押し当てて、前記チェーンの張力を測定するチェーンテンション測定装置において、一方向に沿って押圧力測定用目盛を有する測定装置本体と、前記測定装置本体に前記一方向に対して垂直な他方向に延設され、前記他方向に沿って位置測定用目盛を有する目盛体と、一端部が前記測定装置本体に固定され、他端部が前記力測定用目盛上を摺動し、中間部が反測定装置本体側に向かって凸形状の板バネとを備え、前記目盛体を用いて前記チェーン近傍の壁に基準点を設けて、その基準点の前記他方向の位置を測定し、前記チェーンに対して前記板バネの前記中間部を押し当てて、前記チェーンからの力の反作用により、前記板バネが撓み変形し、前記板バネの前記他端部が前記押圧力測定用目盛上の基準値まで移動したときに、前記目盛体に対する前記基準点の前記他方向への移動距離を測定することにより前記チェーンの変形量を測定して、前記チェーンの張力を測定することができるものである。
【発明の効果】
【０００７】
この発明に係るチェーンテンション測定装置によれば、壁からチェーンまでの距離に関係なく、チェーンの張力を測定することができる。
【発明を実施するための最良の形態】
【０００８】
以下、この発明の各実施の形態を図に基づいて説明するが、各図において、同一または相当の部材、部位については、同一符号を付して説明する。
実施の形態１．
図１はこの発明の実施の形態１に係るチェーンテンション測定装置の正面図、図２は図１のＡ方向から視たときの側面図である。
実施の形態１に係るチェーンテンション測定装置は、エスカレータの駆動用のチェーン１の張力を測定するものである。
チェーンテンション測定装置は、一方向に沿って押圧力測定用目盛である押圧力目盛２ａを有する測定装置本体２を備えている。
測定装置本体２には、測定装置本体２の一方向と垂直な他方向へ延設され、この他方向に沿って位置測定用目盛である位置目盛３ａを有する目盛体３が設けられている。
測定装置本体２の反目盛体３側には、一端部に測定装置本体２と固定された固定部４ａと、他端部に測定装置本体２の押圧力目盛２ａ上を摺動可能な摺動部４ｂと、中間部に測定装置本体２の反目盛体３方向に凸形状の凸部４ｃとを有する板バネ４が設けられている。
【０００９】
スプロケット間に掛けられたチェーン１に対して板バネ４の凸部４ｃを押し当てると、チェーン１からの力の反作用により、板バネ４が撓み変形し、板バネ４の摺動部４ｂが測定装置本体２の押圧力目盛２ａ上を移動して、板バネ４の摺動部４ｂが指す測定装置本体２の押圧力目盛２ａ上の位置により、板バネ４に作用した力の大きさを測定することができる。
【００１０】
次に、実施の形態１に係るチェーンテンション測定装置を用いて、チェーン１の張力を測定する手順について説明する。
まず、チェーン１近傍のエスカレータの壁５に基準点であるマーク６をつける。
次に、チェーンテンション測定装置を、板バネ４が張力を測定するチェーン１と当接するように配置し、図２に示すように、壁５に対して垂直方向から覗いて目盛体３の位置目盛３ａを用いてマーク６の位置を測定する。
次に、測定者の目の位置を固定させたまま、チェーンテンション測定装置をチェーン１側に押し当て、板バネ４の摺動部４ｂが測定装置本体２の押圧力目盛２ａ上の基準値に達するまで力を増大させていく。
板バネ４の摺動部４ｂが測定装置本体２の押圧力目盛２ａ上の基準値まで達したときに、目盛体３の位置目盛３ａを用いてマーク６の位置を測定し、マーク６の位置の変化量を測定する。
【００１１】
目盛体３に対するマーク６の位置の変化量は、チェーン１の変形量と板バネ４の撓み量との合計であるので、板バネ４に基準値の力を作用させたときの板バネ４の撓み量を予め求めておくことで、チェーン１の変形量が測定される。
以上により、チェーン１の変形量が測定され、そのチェーン１の変形量と基準値である力の大きさとにより、チェーン１の張力が算出される。
【００１２】
以上説明したように、実施の形態１に係るチェーンテンション測定装置によると、測定者が目盛体３の位置目盛３ａを用いて測定したチェーン１近傍のエスカレータの壁５に設けたマーク６の位置の変化量からチェーン１の変形量を測定するので、壁５とチェーン１との距離に関係なく、チェーン１の張力を測定することができる。
【００１３】
また、板バネ４を用いて、チェーン１に加えられた力の大きさを測定するので、チェーンテンション測定装置を簡単に構成することができ、装置全体をコンパクトにすることができる。
【００１４】
実施の形態２．
図３は実施の形態２に係るチェーンテンション測定装置の正面図である。
実施の形態２では、板バネ４の凸部４ｃの測定装置本体２側に、目盛体３が測定装置本体２の一方向と垂直な他方向に延びて設けられている。
このものの場合、目盛体３が板バネ４の変形とともに移動し、目盛体３に対するマーク６の位置の変化量が、チェーン１の変化量と一致する。
その他の構成は実施の形態１と同様である。
【００１５】
実施の形態２に係るチェーンテンション測定装置によると、実施の形態１の効果に加えて、板バネ４の撓み量を考慮する必要がなく、目盛体３に対するマーク６の位置の変化量からチェーン１の変化量を直接測定することができる。
【００１６】
なお、上記各実施の形態では、チェーンテンション測定装置を用いてエスカレータの駆動用のチェーン１の張力を測定することを説明したが、勿論このものに限らず、例えば、手摺駆動用のチェーンの張力を測定することもできる。
【００１７】
また、上記各実施の形態では、チェーン１に加えられる力の大きさを基準値として、そのときのチェーン１の変形量を測定して、チェーン１の張力を算出するとして説明したが、勿論このものに限らず、チェーン１の変形量を基準値として、そのときのチェーン１に加えられる力の大きさを測定して、チェーン１の張力を算出してもよい。
【図面の簡単な説明】
【００１８】
【図１】実施の形態１に係るチェーンテンション測定装置の正面図である。
【図２】図１のＡ方向から視たときの側面図である。
【図３】実施の形態２に係るチェーンテンション測定装置の正面図である。
【符号の説明】
【００１９】
１  チェーン、２  測定装置本体、２ａ  押圧力目盛、３  目盛体、３ａ  位置目盛、４  板バネ、４ａ  固定部、４ｂ  摺動部、４ｃ  凸部、５  壁、６  マーク。
【図１】
2008032425.tif 000003
【図２】
2008032425.tif 000004
【図３】
2008032425.tif 000005